(57)【要約】  本発明は、端末コンテキスト取得方法及び装置、コンピュータ記憶媒体を開示する。前記方法は、第１ネットワークノードが、第２ネットワークノードから前記第２ネットワークノード側における端末の端末コンテキストを取得することと、前記第１ネットワークノードが、前記第１ネットワークノード側における前記端末の端末コンテキストと前記第２ネットワークノード側における前記端末の端末コンテキストとを第３ネットワークノードに送信することとを含み、ここで、前記第１ネットワークノード及び前記第２ネットワークノードは、それぞれ第１デュアルコネクティビティネットワークにおけるマスターノード及びセカンダリノードであり、前記第３ネットワークノードは、第２デュアルコネクティビティネットワークにおけるマスターノードである。
2021511697.tif 000002
【特許請求の範囲】
【請求項１】
端末コンテキスト取得方法であって、
第１ネットワークノードが、第２ネットワークノードから前記第２ネットワークノード側における端末の端末コンテキストを取得することと、
前記第１ネットワークノードが、前記第１ネットワークノード側における前記端末の端末コンテキストと前記第２ネットワークノード側における前記端末の端末コンテキストとを第３ネットワークノードに送信することとを含み、
ここで、前記第１ネットワークノード及び前記第２ネットワークノードは、それぞれ第１デュアルコネクティビティネットワークにおけるマスターノード及びセカンダリノードであり、前記第３ネットワークノードは、第２デュアルコネクティビティネットワークにおけるマスターノードである、前記方法。
【請求項２】
前記第１ネットワークノードが、第２ネットワークノードから前記第２ネットワークノード側における端末の端末コンテキストを取得することは、
前記第１ネットワークノードが、端末のハンドオーバーをトリガする必要があると判定した場合、第２ネットワークノードから前記第２ネットワークノード側における端末の端末コンテキストを取得することを含むことを特徴とする
請求項１に記載の方法。
【請求項３】
前記方法は、
前記第１ネットワークノードが、前記端末からの測定レポートを受信することと、
前記第１ネットワークノードが前記測定レポートに基づいて、端末のハンドオーバーをトリガする必要があるかを判定することとを更に含むことを特徴とする
請求項２に記載の方法。
【請求項４】
前記第１ネットワークノードが、第２ネットワークノードから前記第２ネットワークノード側における端末の端末コンテキストを取得することは、
前記第１ネットワークノードが、第２ネットワークノードに端末コンテキスト要求メッセージを送信することと、
前記第１ネットワークノードが、前記第２ネットワークノードからの、前記第２ネットワークノード側における端末の端末コンテキストを受信することとを含むことを特徴とする
請求項１に記載の方法。
【請求項５】
前記方法は、
前記第１ネットワークノードが、前記第３ネットワークノードからの第１リソース設定情報及び前記第２リソース設定情報を受信することと、
前記第１ネットワークノードが、端末のハンドオーバーをトリガするように、前記第１リソース設定情報及び前記第２リソース設定情報を前記端末に送信することとを更に含み、
ここで、前記第１リソース設定情報は、前記第３ネットワークノードが前記第１ネットワークノード側における前記端末の端末コンテキストに基づいて端末に対してリソース割り当てを行うことで得られたものであり、前記第２リソース設定情報は、前記第４ネットワークノードが前記第２ネットワークノード側における前記端末の端末コンテキストに基づいて端末に対してリソース割り当てを行うことで得られたものであり、前記第４ネットワークノードは、前記第２デュアルコネクティビティネットワークにおけるセカンダリノードであることを特徴とする
請求項１から４のいずれか一項に記載の方法。
【請求項６】
端末コンテキスト取得方法であって、
第３ネットワークノードが、第１ネットワークノードからの、前記第１ネットワークノード側における端末の端末コンテキスト及び第２ネットワークノード側における前記端末の端末コンテキストを受信することと、
前記第３ネットワークノードが、第２ネットワークノード側における前記端末の端末コンテキストを第４ネットワークノードに送信することとを含み、
ここで、前記第１ネットワークノード及び前記第２ネットワークノードは、それぞれ第１デュアルコネクティビティネットワークにおけるマスターノード及びセカンダリノードであり、前記第３ネットワークノード及び前記第４ネットワークノードは、それぞれ第２デュアルコネクティビティネットワークにおけるマスターノード及びセカンダリノードである、前記方法。
【請求項７】
前記方法は、
前記第３ネットワークノードが、前記第１ネットワークノード側における前記端末の端末コンテキストに基づいて端末に対してリソース割り当てを行い、第１リソース設定情報を得ることと、
前記第３ネットワークノードが、前記第４ネットワークノードからの第２リソース設定情報を受信し、前記第２リソース設定情報は、前記第４ネットワークノードが前記第２ネットワークノード側における前記端末の端末コンテキストに基づいて端末に対してリソース割り当てを行うことで得られたものであることと、
前記第３ネットワークノードが、前記第１リソース設定情報及び第２リソース設定情報を前記第１ネットワークノードに送信することとを更に含むことを特徴とする
請求項６に記載の方法。
【請求項８】
端末コンテキスト取得装置であって、
第２ネットワークノードから前記第２ネットワークノード側における端末の端末コンテキストを受信するように構成される取得ユニットと、
前記第１ネットワークノード側における前記端末の端末コンテキストと前記第２ネットワークノード側における前記端末の端末コンテキストとを第３ネットワークノードに送信するように構成される第１送信ユニットとを備え、
ここで、前記第１ネットワークノード及び前記第２ネットワークノードは、それぞれ第１デュアルコネクティビティネットワークにおけるマスターノード及びセカンダリノードであり、前記第３ネットワークノードは、第２デュアルコネクティビティネットワークにおけるマスターノードである、前記装置。
【請求項９】
前記第１送信ユニットは、端末のハンドオーバーをトリガする必要があると判定した場合、第２ネットワークノードから前記第２ネットワークノード側における端末の端末コンテキストを取得するように構成されることを特徴とする
請求項８に記載の装置。
【請求項１０】
前記装置は、
前記端末からの測定レポートを受信するように構成される第１受信ユニットと、
前記測定レポートに基づいて、端末のハンドオーバーをトリガする必要があるかを判定するように構成される判定ユニットとを更に備えることを特徴とする
請求項９に記載の装置。
【請求項１１】
前記取得ユニットは、第２ネットワークノードに端末コンテキスト要求メッセージを送信し、前記第２ネットワークノードからの、前記第２ネットワークノード側における端末の端末コンテキストを受信するように構成されることを特徴とする
請求項８に記載の装置。
【請求項１２】
前記装置は、
前記第３ネットワークノードからの第１リソース設定情報及び前記第２リソース設定情報を受信するように構成される第２受信ユニットと、
端末のハンドオーバーをトリガするように、前記第１リソース設定情報及び前記第２リソース設定情報を前記端末に送信するように構成される第２送信ユニットとを更に備え、
ここで、前記第１リソース設定情報は、前記第３ネットワークノードが前記第１ネットワークノード側における前記端末の端末コンテキストに基づいて端末に対してリソース割り当てを行うことで得られたものであり、前記第２リソース設定情報は、前記第４ネットワークノードが前記第２ネットワークノード側における前記端末の端末コンテキストに基づいて端末に対してリソース割り当てを行うことで得られたものであり、前記第４ネットワークノードは、前記第２デュアルコネクティビティネットワークにおけるセカンダリノードであることを特徴とする
請求項８から１１のいずれか一項に記載の装置。
【請求項１３】
端末コンテキスト取得装置であって、
第１ネットワークノードからの、前記第１ネットワークノード側における端末の端末コンテキスト及び第２ネットワークノード側における前記端末の端末コンテキストを受信するように構成される第１受信ユニットと、
第２ネットワークノード側における前記端末の端末コンテキストを第４ネットワークノードに送信するように構成される第１送信ユニットとを備え、
ここで、前記第１ネットワークノード及び前記第２ネットワークノードは、それぞれ第１デュアルコネクティビティネットワークにおけるマスターノード及びセカンダリノードであり、前記第３ネットワークノード及び前記第４ネットワークノードは、それぞれ第２デュアルコネクティビティネットワークにおけるマスターノード及びセカンダリノードである、前記装置。
【請求項１４】
前記装置は、
前記第１ネットワークノード側における前記端末の端末コンテキストに基づいて端末に対してリソース割り当てを行い、第１リソース設定情報を得るように構成されるリソース割り当てユニットと、
前記第４ネットワークノードからの第２リソース設定情報を受信し、前記第２リソース設定情報は、前記第４ネットワークノードが前記第２ネットワークノード側における前記端末の端末コンテキストに基づいて端末に対してリソース割り当てを行うことで得られたものであるように構成される第２受信ユニットと、
前記第１リソース設定情報及び第２リソース設定情報を前記第１ネットワークノードに送信するように構成される第２送信ユニットとを更に備えることを特徴とする
請求項１３に記載の装置。
【請求項１５】
コンピュータ記憶媒体であって、コンピュータによる実行可能な命令が記憶されており、前記コンピュータによる実行可能な命令がプロセッサにより実行される時、請求項１から５のいずれか一項に記載の方法の工程、又は請求項６から７のいずれか一項に記載の方法の工程を実現させる、前記コンピュータ記憶媒体。
【発明の詳細な説明】
【技術分野】
【０００１】
本発明は、無線通信技術分野に関し、特に端末（ＵＥ：Ｕｓｅｒ  Ｅｑｕｉｐｍｅｎｔ）コンテキスト取得方法及び装置、コンピュータ記憶媒体に関する。
【背景技術】
【０００２】
サービスのレート、遅延、高速移動性、エネルギー効率に対する要望、及び将来の生活中のサービスの多様性、複雑性を満たすために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）国際標準化機構は、第５世代（５Ｇ：５ｔｈ  Ｇｅｎｅｒａｔｉｏｎ）移動通信技術の開発を進めている。
【０００３】
５Ｇ移動通信技術の主な適用シナリオは、拡張型モバイルブロードバンド（ｅＭＢＢ：Ｅｎｈａｎｃｅ  Ｍｏｂｉｌｅ  Ｂｒｏａｄｂａｎｄ）、高信頼・低遅延な通信（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）である。
【０００４】
５Ｇ移動通信技術は、新しい無線通信技術（ＮＲ：Ｎｅｗ  Ｒａｄｉｏ）とも称される。ＮＲの初期のデプロイにおいて、完全なＮＲカバレッジの達成が困難であるため、典型的なネットワークカバレッジは、長期的進化（ＬＴＥ：Ｌｏｎｇ  Ｔｅｒｍ  Ｅｖｏｌｕｔｉｏｎ）とＮＲカバレッジの組み合わせる形になっている。なお、移動通信事業者のＬＴＥへの初期投資が無駄にならないように、ＬＴＥとＮＲとの密な連携（ｔｉｇｈｔ  ｉｎｔｅｒｗｏｒｋｉｎｇ）作動モードが提出された。デュアルコネクティビティ（ＤＣ：Ｄｕａｌ  Ｃｏｎｎｅｃｔｉｖｉｔｙ）アーキテクチャにおいて、２つのネットワークノードによりＵＥにサービスを提供する。１つは、マスターノード（ＭＮ：Ｍａｓｔｅｒ  Ｎｏｄｅ）であり、もう１つは、セカンダリノード（ＳＮ：Ｓｅｃｏｎｄａｒｙ  Ｎｏｄｅ）である。
【０００５】
ＵＥのハンドオーバーにおいて、ソースセルにおけるＵＥコンテキストをターゲットセルに送信し、ターゲットセルがソースセルにおけるＵＥコンテキストに基づいて無線リソース制御（ＲＲＣ：Ｒａｄｉｏ  Ｒｅｓｏｕｒｃｅ  Ｃｏｎｔｒｏｌ）設定を行うことが一般的である。しかしながら、ＥＮ−ＤＣのアーキテクチャにおいて、ＵＥコンテキストは、ＭＮ及びＳＮにそれぞれ記憶されている。ＭＮがＳＮ側のＵＥコンテキストを知らないため、ＵＥのハンドオーバープロセスにおいてソースＭＮからターゲットＭＮに移送されたＵＥコンテキストには、ＳＮ側のＵＥコンテキストが含まれず、ターゲットＭＮが、ＵＥに対して合理的な無線リソースを設定することができず、また、ＵＥのハンドオーバー失敗を引き起こし得る。
【発明の概要】
【発明が解決しようとする課題】
【０００６】
上記技術的課題を解決するために、本発明の実施例は、端末コンテキスト取得方法及び装置、コンピュータ記憶媒体を提供する。
【課題を解決するための手段】
【０００７】
本発明の実施例が提供する端末コンテキスト取得方法は、
第１ネットワークノードが、第２ネットワークノードから前記第２ネットワークノード側における端末の端末コンテキストを取得することと、
前記第１ネットワークノードが、前記第１ネットワークノード側における前記端末の端末コンテキストと前記第２ネットワークノード側における前記端末の端末コンテキストとを第３ネットワークノードに送信することとを含み、
ここで、前記第１ネットワークノード及び前記第２ネットワークノードは、それぞれ第１デュアルコネクティビティネットワークにおけるマスターノード及びセカンダリノードであり、前記第３ネットワークノードは、第２デュアルコネクティビティネットワークにおけるマスターノードである。
【０００８】
本発明の実施例において、前記第１ネットワークノードが、第２ネットワークノードから前記第２ネットワークノード側における端末の端末コンテキストを取得することは、
前記第１ネットワークノードが、端末のハンドオーバーをトリガする必要があると判定した場合、第２ネットワークノードから前記第２ネットワークノード側における端末の端末コンテキストを取得することを含む。
【０００９】
本発明の実施例において、前記方法は、
前記第１ネットワークノードが、前記端末からの測定レポートを受信することと、
前記第１ネットワークノードが前記測定レポートに基づいて、端末のハンドオーバーをトリガする必要があるかを判定することとを更に含む。
【００１０】
本発明の実施例において、前記第１ネットワークノードが、第２ネットワークノードから前記第２ネットワークノード側における端末の端末コンテキストを取得することは、
前記第１ネットワークノードが、第２ネットワークノードに端末コンテキスト要求メッセージを送信することと、
前記第１ネットワークノードが、前記第２ネットワークノードからの、前記第２ネットワークノード側における端末の端末コンテキストを受信することとを含む。
【００１１】
本発明の実施例において、前記方法は、
前記第１ネットワークノードが、前記第３ネットワークノードからの第１リソース設定情報及び前記第２リソース設定情報を受信することと、
前記第１ネットワークノードが、端末のハンドオーバーをトリガするように、前記第１リソース設定情報及び前記第２リソース設定情報を前記端末に送信することとを更に含み、
ここで、前記第１リソース設定情報は、前記第３ネットワークノードが前記第１ネットワークノード側における前記端末の端末コンテキストに基づいて端末に対してリソース割り当てを行うことで得られたものであり、前記第２リソース設定情報は、前記第４ネットワークノードが前記第２ネットワークノード側における前記端末の端末コンテキストに基づいて端末に対してリソース割り当てを行うことで得られたものであり、前記第４ネットワークノードは、前記第２デュアルコネクティビティネットワークにおけるセカンダリノードである。
【００１２】
本発明の実施例が提供する端末コンテキスト取得方法は、
第３ネットワークノードが、第１ネットワークノードからの、前記第１ネットワークノード側における端末の端末コンテキスト及び第２ネットワークノード側における前記端末の端末コンテキストを受信することと、
前記第３ネットワークノードが、第２ネットワークノード側における前記端末の端末コンテキストを第４ネットワークノードに送信することとを含み、
ここで、前記第１ネットワークノード及び前記第２ネットワークノードは、それぞれ第１デュアルコネクティビティネットワークにおけるマスターノード及びセカンダリノードであり、前記第３ネットワークノード及び前記第４ネットワークノードは、それぞれ第２デュアルコネクティビティネットワークにおけるマスターノード及びセカンダリノードである。
【００１３】
本発明の実施例において、前記方法は、
前記第３ネットワークノードが、前記第１ネットワークノード側における前記端末の端末コンテキストに基づいて端末に対してリソース割り当てを行い、第１リソース設定情報を得ることと、
前記第３ネットワークノードが、前記第４ネットワークノードからの第２リソース設定情報を受信し、前記第２リソース設定情報は、前記第４ネットワークノードが前記第２ネットワークノード側における前記端末の端末コンテキストに基づいて端末に対してリソース割り当てを行うことで得られたものであることと、
前記第３ネットワークノードが、前記第１リソース設定情報及び第２リソース設定情報を前記第１ネットワークノードに送信することとを更に含む。
【００１４】
本発明の実施例が提供する端末コンテキスト取得装置は、
第２ネットワークノードから前記第２ネットワークノード側における端末の端末コンテキストを受信するように構成される取得ユニットと、
前記第１ネットワークノード側における前記端末の端末コンテキストと前記第２ネットワークノード側における前記端末の端末コンテキストとを第３ネットワークノードに送信するように構成される第１送信ユニットとを備え、
ここで、前記第１ネットワークノード及び前記第２ネットワークノードは、それぞれ第１デュアルコネクティビティネットワークにおけるマスターノード及びセカンダリノードであり、前記第３ネットワークノードは、第２デュアルコネクティビティネットワークにおけるマスターノードである。
【００１５】
本発明の実施例において、前記第１送信ユニットは、端末のハンドオーバーをトリガする必要があると判定した場合、第２ネットワークノードから前記第２ネットワークノード側における端末の端末コンテキストを取得するように構成される。
【００１６】
本発明の実施例において、前記装置は、
前記端末からの測定レポートを受信するように構成される第１受信ユニットと、
前記測定レポートに基づいて、端末のハンドオーバーをトリガする必要があるかを判定するように構成される判定ユニットとを更に備える。
【００１７】
本発明の実施例において、前記取得ユニットは、第２ネットワークノードに端末コンテキスト要求メッセージを送信し、前記第２ネットワークノードからの、前記第２ネットワークノード側における端末の端末コンテキストを受信するように構成される。
【００１８】
本発明の実施例において、前記装置は、
前記第３ネットワークノードからの第１リソース設定情報及び前記第２リソース設定情報を受信するように構成される第２受信ユニットと、
端末のハンドオーバーをトリガするように、前記第１リソース設定情報及び前記第２リソース設定情報を前記端末に送信するように構成される第２送信ユニットとを更に備え、
ここで、前記第１リソース設定情報は、前記第３ネットワークノードが前記第１ネットワークノード側における前記端末の端末コンテキストに基づいて端末に対してリソース割り当てを行うことで得られたものであり、前記第２リソース設定情報は、前記第４ネットワークノードが前記第２ネットワークノード側における前記端末の端末コンテキストに基づいて端末に対してリソース割り当てを行うことで得られたものであり、前記第４ネットワークノードは、前記第２デュアルコネクティビティネットワークにおけるセカンダリノードである。
【００１９】
本発明の実施例が提供する端末コンテキスト取得装置は、
第１ネットワークノードからの、前記第１ネットワークノード側における端末の端末コンテキスト及び第２ネットワークノード側における前記端末の端末コンテキストを受信するように構成される第１受信ユニットと、
第２ネットワークノード側における前記端末の端末コンテキストを第４ネットワークノードに送信するように構成される第１送信ユニットとを備え、
ここで、前記第１ネットワークノード及び前記第２ネットワークノードは、それぞれ第１デュアルコネクティビティネットワークにおけるマスターノード及びセカンダリノードであり、前記第３ネットワークノード及び前記第４ネットワークノードは、それぞれ第２デュアルコネクティビティネットワークにおけるマスターノード及びセカンダリノードである。
【００２０】
本発明の実施例において、前記装置は、
前記第１ネットワークノード側における前記端末の端末コンテキストに基づいて端末に対してリソース割り当てを行い、第１リソース設定情報を得るように構成されるリソース割り当てユニットと、
前記第４ネットワークノードからの第２リソース設定情報を受信し、前記第２リソース設定情報は、前記第４ネットワークノードが前記第２ネットワークノード側における前記端末の端末コンテキストに基づいて端末に対してリソース割り当てを行うことで得られたものであるように構成される第２受信ユニットと、
前記第１リソース設定情報及び第２リソース設定情報を前記第１ネットワークノードに送信するように構成される第２送信ユニットとを更に備える。
【００２１】
本発明の実施例が提供するコンピュータ記憶媒体は、コンピュータによる実行可能な命令が記憶されており、前記コンピュータによる実行可能な命令がプロセッサにより実行される時、上記端末コンテキスト取得方法を実現させる。
【発明の効果】
【００２２】
本発明の実施例の技術的解決手段において、第１ネットワークノードは第２ネットワークノードから前記第２ネットワークノード側における端末の端末コンテキストを取得する。前記第１ネットワークノードは、前記第１ネットワークノード側における前記端末の端末コンテキストと前記第２ネットワークノード側における前記端末の端末コンテキストとを第３ネットワークノードに送信する。ここで、前記第１ネットワークノード及び前記第２ネットワークノードは、それぞれ第１デュアルコネクティビティネットワークにおけるマスターノード及びセカンダリノードであり、前記第３ネットワークノードは、第２デュアルコネクティビティネットワークにおけるマスターノードである。本発明の実施例の技術的解決手段を用いると、ソースＭＮにより端末のソースＳＮ側におけるコンテキストを要求してから、全ての端末コンテキスト（ソースＭＮ側の端末コンテキスト及びソースＳＮ側の端末コンテキスト）をターゲットＭＮに送信し、ターゲット側（ターゲットＭＮ及びターゲットＳＮ）で端末コンテキストに基づいて新しい無線リソース設定情報を生成できるようになり、端末のために合理的な無線リソースを設定し、端末のハンドオーバーの成功率を向上させる。
【図面の簡単な説明】
【００２３】
【図１】本発明の実施例による端末コンテキスト取得方法を示す第１フローチャートである。
【図２】本発明の実施例によるシステムアーキテクチャを示す図である。
【図３】本発明の実施例による端末コンテキスト取得方法を示す第２フローチャートである。
【図４】本発明の実施例による端末コンテキスト取得装置の構成を示す第１模式図である。
【図５】本発明の実施例による端末コンテキスト取得装置の構成を示す第２模式図である。
【図６】本発明の実施例によるネットワークノードの構成を示す概略図である。
【発明を実施するための形態】
【００２４】
本発明の一層の理解のために含めたものであり、本明細書に導入されてその一部となる。本発明の概略的な実施例及びその説明は、本発明の解説に用いるものであるが、本発明を不当に限定するものではない。
【００２５】
本発明の実施例の特徴と技術的要旨をより詳しく理解するために、以下、図面を参照しながら、本発明の実施例の実現について詳しく説明する。添付図面は参照のためのものに過ぎず、本発明の実施例を限定するものではない。
【００２６】
本発明の実施例の技術的解決手段は、主に５Ｇ移動通信システムに適用される。勿論、本発明の実施例の技術的解決手段は、５Ｇ移動通信システムに限定されず、他のタイプの移動通信システムに適用可能である。以下、５Ｇ移動通信システムにおける主な適用シナリオを説明する。
【００２７】
１）ｅＭＢＢシナリオ：ｅＭＢＢは、ユーザのマルチメディアコンテンツ、サービス及びデータの取得を目標としており、そのトラフィック需要は急速に成長している。ｅＭＢＢが室内、都市、農村などの様々なシナリオにデプロイされ、各シナリオにおいてそのトラフィック能力及びニーズの差別も大きい。従って、具体的なデプロイナリオに合わせてトラフィックを分析しなければならない。
【００２８】
２）ＵＲＬＬＣシナリオ：ＵＲＬＬＣの典型的な適用は、工業自動化、電力自動化、遠隔医療操作、交通安全性の保障等を含む。
【００２９】
３）ｍＭＴＣシナリオ：ＵＲＬＬＣの典型的な特徴は、接続密度が高く、データ量が小さく、遅延に鈍感サービス、モジュールのコストが低く、耐用年数が長い。
【００３０】
ＬＴＥとＮＲとのｔｉｇｈｔ  ｉｎｔｅｒｗｏｒｋｉｎｇ作動モードにおいて、ＳＮは、自身のシグナリング無線ベアラ（ＳＲＢ：Ｓｉｇｎａｌｌｉｎｇ  Ｒａｄｉｏ  Ｂｅａｒｅｒｓ）を有し、即ちＳＲＢ３である。ＳＲＢ３により、スレーブセルグループ（ＳＣＧ：Ｓｌａｖｅ  Ｃｅｌｌ  Ｇｒｏｕｐ）におけるｓｃｅｌｌの管理情報及び測定情報を設定することができる。
【００３１】
なお、ＭＮとＳＮは、ＵＥに対する測定設定情報をそれぞれ独立して設定する。具体的には、ＭＮは、ＬＴＥのＲＲＣメッセージによってＵＥに測定設定情報を送信する。ＵＥは、前記測定設定情報に関する測定レポートをＭＮに報告する。前記設定において、メインセルグループ（ＭＣＧ：Ｍａｉｎ  Ｃｅｌｌ  Ｇｒｏｕｐ）における全てのセルは、サービングセル（ｓｅｒｖｉｎｇ  ｃｅｌｌ）として認められ、他のセル（ＳＣＧにおけるセルを含む）は隣接セルとして認められる。ＳＮはＮＲのＲＲＣメッセージによってＵＥに測定設定情報を送信する。ＵＥは、前記測定設定情報に関する測定レポートをＳＮに報告する。前記設定において、ＳＣＧにおけるセルはｓｅｒｖｉｎｇ  ｃｅｌｌとして認められ、他のセル（ＭＣＧにおけるセルを含む）は隣接セルとして認められる。
【００３２】
図１は本発明の実施例による端末コンテキスト取得方法を示す第１フローチャートである。本実施例において、第１ネットワークノード及び第２ネットワークノードは、それぞれ第１デュアルコネクティビティネットワークにおけるマスターノード及びセカンダリノードであり、第３ネットワークノード及び第４ネットワークノードは、それぞれ第２デュアルコネクティビティネットワークにおけるマスターノード及びセカンダリノードである。図１に示すように、前記端末コンテキスト取得方法は下記ステップを含む。
【００３３】
ステップ１０１：第１ネットワークノードが、第２ネットワークノードから前記第２ネットワークノード側における端末の端末コンテキストを取得する。
【００３４】
図２に示すように、第１デュアルコネクティビティネットワークにおいて、第１ネットワークノード及び第２ネットワークノードを含み、ここで、第１ネットワークノードは、前記第１デュアルコネクティビティネットワークにおけるマスターノードであり、ＭＮ１と称され、第２ネットワークノードは、第１デュアルコネクティビティネットワークにおけるセカンダリノードであり、ＳＮ１と称される。前記第１デュアルコネクティビティネットワークのアーキテクチャにおいて、第１ネットワークノード及び第２ネットワークノードは同時に端末にサービスを提供することができる。第２デュアルコネクティビティネットワークにおいて、第３ネットワークノード及び第４ネットワークノードを含み、ここで、第３ネットワークノードは、前記第２デュアルコネクティビティネットワークにおけるマスターノードであり、ＭＮ２と称され、第４ネットワークノードは、前記第２デュアルコネクティビティネットワークにおけるセカンダリノードであり、ＳＮ２と称される。前記第２デュアルコネクティビティネットワークのアーキテクチャにおいて、第３ネットワークノード及び第４ネットワークノードは同時に端末にサービスを提供することができる。本発明の実施例において、ネットワークノードは基地局であってもよく、異なるネットワークノードに対応する基地局タイプは同一であっても、異なっていてもよい。
【００３５】
現在、端末にサービスを提供するネットワークノードが第１ネットワークノード及び第２ネットワークノードであるとした場合、端末コンテキストは、第１ネットワークノード及び第２ネットワークノードに記憶されることになる。
【００３６】
前記第１ネットワークノードが、端末のハンドオーバーをトリガする必要があると判定した場合、第２ネットワークノードから前記第２ネットワークノード側における端末の端末コンテキストを取得する。
【００３７】
一実施形態において、前記第１ネットワークノードが、前記端末からの測定レポートを受信し、前記第１ネットワークノードが前記測定レポートに基づいて、端末のハンドオーバーをトリガする必要があるかを判定する。
【００３８】
本発明の実施例において、前記第１ネットワークノードが、第２ネットワークノードから前記第２ネットワークノード側における端末の端末コンテキストを取得することは、具体的には、下記フローにより実現する。
【００３９】
１）前記第１ネットワークノードが、第２ネットワークノードに端末コンテキスト要求メッセージを送信する。
【００４０】
２）前記第１ネットワークノードが、前記第２ネットワークノードからの、前記第２ネットワークノード側における端末の端末コンテキストを受信する。
【００４１】
ステップ１０２：前記第１ネットワークノードが、前記第１ネットワークノード側における前記端末の端末コンテキストと前記第２ネットワークノード側における前記端末の端末コンテキストとを第３ネットワークノードに送信する。
【００４２】
本発明の実施例において、第１ネットワークノードが、前記第１ネットワークノード側における前記端末の端末コンテキストと前記第２ネットワークノード側における前記端末の端末コンテキストとを第３ネットワークノードに送信してから、第３ネットワークノードが、前記第２ネットワークノード側における端末の端末コンテキストを第４ネットワークノードに送信する。続いて、第３ネットワークノードが、前記第１ネットワークノード側における端末の端末コンテキストに基づいて、端末に対してリソース割り当てを行い、第１リソース設定情報を得る。第４ネットワークノードが、前記第２ネットワークノード側における端末の端末コンテキストに基づいて、端末に対してリソース割り当てを行い、第２リソース設定情報を得る。第３ネットワークノードが、第４ネットワークノードから第２リソース設定情報を取得し、第１リソース設定情報及び第２リソース設定情報を共に第１ネットワークノードに送信する。
【００４３】
前記第１ネットワークノードが、前記第３ネットワークノードからの第１リソース設定情報及び前記第２リソース設定情報を受信し、端末のハンドオーバーをトリガするように、前記第１リソース設定情報及び前記第２リソース設定情報を前記端末に送信する。
【００４４】
図３は本発明の実施例による端末コンテキスト取得方法を示す第２フローチャートである。本実施例において、第１ネットワークノード及び第２ネットワークノードはそれぞれ第１デュアルコネクティビティネットワークにおけるマスターノード及びセカンダリノードであり、第３ネットワークノード及び第４ネットワークノードはそれぞれ第２デュアルコネクティビティネットワークにおけるマスターノード及びセカンダリノードである。図３に示すように、前記端末コンテキスト取得方法は下記ステップを含む。
【００４５】
ステップ３０１：第３ネットワークノードが、第１ネットワークノードからの、前記第１ネットワークノード側における端末の端末コンテキスト及び第２ネットワークノード側における前記端末の端末コンテキストを受信する。
【００４６】
図２に示すように、第１デュアルコネクティビティネットワークにおいて、第１ネットワークノード及び第２ネットワークノードを含み、ここで、第１ネットワークノードは、前記第１デュアルコネクティビティネットワークにおけるマスターノードであり、ＭＮ１と称され、第２ネットワークノードは、第１デュアルコネクティビティネットワークにおけるセカンダリノードであり、ＳＮ１と称される。前記第１デュアルコネクティビティネットワークのアーキテクチャにおいて、第１ネットワークノード及び第２ネットワークノードは同時に端末にサービスを提供することができる。第２デュアルコネクティビティネットワークにおいて、第３ネットワークノード及び第４ネットワークノードを含み、ここで、第３ネットワークノードは、前記第２デュアルコネクティビティネットワークにおけるマスターノードであり、ＭＮ２と称され、第４ネットワークノードは、前記第２デュアルコネクティビティネットワークにおけるセカンダリノードであり、ＳＮ２と称される。前記第２デュアルコネクティビティネットワークのアーキテクチャにおいて、第３ネットワークノード及び第４ネットワークノードは同時に端末にサービスを提供することができる。本発明の実施例において、ネットワークのノードは基地局であってもよく、異なるネットワークノードに対応する基地局タイプは同一であっても、異なっていてもよい。
【００４７】
端末にサービスを提供するネットワークノードが第１ネットワークノード及び第２ネットワークノードであるとした場合、端末コンテキストは、第１ネットワークノード及び第２ネットワークノードに記憶される。
【００４８】
前記第１ネットワークノードが、端末のハンドオーバーをトリガする必要があると判定した場合、第２ネットワークノードから前記第２ネットワークノード側における端末の端末コンテキストを取得する。第３ネットワークノードが、第１ネットワークノードからの、前記第１ネットワークノード側における端末の端末コンテキスト及び第２ネットワークノード側における前記端末の端末コンテキストを受信する。
【００４９】
ステップ３０２：前記第３ネットワークノードが、第２ネットワークノード側における前記端末の端末コンテキストを第４ネットワークノードに送信する。
【００５０】
本発明の実施例において、第３ネットワークノードが、前記第１ネットワークノード側における前記端末の端末コンテキストに基づいて端末に対してリソース割り当てを行い、第１リソース設定情報を得る。第４ネットワークノードが、前記第２ネットワークノード側における前記端末の端末コンテキストに基づいて端末に対してリソース割り当てを行い、第２リソース設定情報を得る。前記第３ネットワークノードが、前記第４ネットワークノードからの第２リソース設定情報を受信する。前記第３ネットワークノードが、前記第１リソース設定情報及び前記第２リソース設定情報を前記第１ネットワークノードに送信する。第１ネットワークノードは、端末のハンドオーバーをトリガするように、前記第１リソース設定情報及び前記第２リソース設定情報を前記端末に送信する。
【００５１】
以下、図２を参照しながら、本発明の実施例の技術的解決手段を更に説明する。図２において、ＭＮ１は、ハンドオーバープロセスにおけるソースＭＮであり、ＳＮ１は、ハンドオーバープロセスにおけるソースＳＮであり、ＭＮ２は、ハンドオーバープロセスにおけるターゲットＭＮであり、ＳＮ２は、ハンドオーバープロセスにおけるターゲットＳＮである。端末コンテキストの取得フローは以下のとおりである。
【００５２】
１）ＭＮ１が端末からの測定レポートを受信し、端末のハンドオーバーをトリガする必要があると判定する。
【００５３】
２）ＭＮ１がＳＮ１に端末コンテキスト要求メッセージを送信し、ＳＮ１がＳＮ１側における端末の端末コンテキストをＭＮ１に送信する。
【００５４】
３）ＭＮ１が、端末の、ＭＮ１側における端末コンテキスト及びＳＮ１側における端末コンテキストをＭＮ２に送信する。
【００５５】
４）ＭＮ２がＳＮ１側における端末コンテキストをＳＮ２に送信する。
【００５６】
５）ＳＮ２がＳＮ１側における端末コンテキストに基づいて端末に対してリソース割り当てを行い、第２リソース設定情報をＭＮ２に送信する。
【００５７】
６）ＭＮ２が端末のＭＮ１側における端末コンテキストに基づいて端末に対してリソース割り当てを行い、第１リソース設定情報及びＳＮ２側の第２リソース設定情報をＭＮ１に送信する。
【００５８】
７）ＭＮ１は、ＭＮ２からの第１リソース設定情報及び第２リソース設定情報を端末に送信し、端末のハンドオーバーをトリガする。
【００５９】
図４は本発明の実施例による端末コンテキスト取得装置の構成を示す第１模式図である。図４に示すように、前記装置は、
第２ネットワークノードから前記第２ネットワークノード側における端末の端末コンテキストを受信するように構成される取得ユニット４０１と、
前記第１ネットワークノード側における前記端末の端末コンテキストと前記第２ネットワークノード側における前記端末の端末コンテキストとを第３ネットワークノードに送信するように構成される第１送信ユニット４０２とを備え、
ここで、前記第１ネットワークノード及び前記第２ネットワークノードは、それぞれ第１デュアルコネクティビティネットワークにおけるマスターノード及びセカンダリノードであり、前記第３ネットワークノードは、第２デュアルコネクティビティネットワークにおけるマスターノードである。
【００６０】
一実施形態において、前記第１送信ユニット４０２は、端末のハンドオーバーをトリガする必要があると判定した場合、第２ネットワークノードから前記第２ネットワークノード側における端末の端末コンテキストを取得するように構成される。
【００６１】
一実施形態において、前記装置は、
前記端末からの測定レポートを受信するように構成される第１受信ユニット４０３と、
前記測定レポートに基づいて、端末のハンドオーバーをトリガする必要があるかを判定するように構成される判定ユニット４０４とを更に備える。
【００６２】
一実施形態において、前記取得ユニット４０１は、第２ネットワークノードに端末コンテキスト要求メッセージを送信し、前記第２ネットワークノードからの、前記第２ネットワークノード側における端末の端末コンテキストを受信するように構成される。
【００６３】
一実施例において、前記装置は、
前記第３ネットワークノードからの第１リソース設定情報及び前記第２リソース設定情報を受信するように構成される第２受信ユニット４０５と、
端末のハンドオーバーをトリガするように、前記第１リソース設定情報及び前記第２リソース設定情報を前記端末に送信するように構成される第２送信ユニット４０６とを更に備え、
ここで、前記第１リソース設定情報は、前記第３ネットワークノードが前記第１ネットワークノード側における前記端末の端末コンテキストに基づいて端末に対してリソース割り当てを行うことで得られたものであり、前記第２リソース設定情報は、前記第４ネットワークノードが前記第２ネットワークノード側における前記端末の端末コンテキストに基づいて端末に対してリソース割り当てを行うことで得られたものであり、前記第４ネットワークノードは、前記第２デュアルコネクティビティネットワークにおけるセカンダリノードである。
【００６４】
上記技術的解決手段において、端末コンテキスト取得装置は、第１ネットワークノード側に適用されてもよい。上述した端末コンテキスト取得方法に関連する説明を参照しながら本発明の実施例の上記端末コンテキスト取得装置を理解できることが当業者であれば理解すべきである。実際の適用において、端末コンテキスト取得装置における各ユニットの機能は、プロセッサ等のような、処理機能を持つモジュールにより実現することができる。
【００６５】
図５は本発明の実施例による端末コンテキスト取得装置の構成を示す第２模式図である。図５に示すように、前記装置は、
第１ネットワークノードからの、前記第１ネットワークノード側における端末の端末コンテキスト及び第２ネットワークノード側における前記端末の端末コンテキストを受信するように構成される第１受信ユニット５０１と、
第２ネットワークノード側における前記端末の端末コンテキストを第４ネットワークノードに送信するように構成される第１送信ユニット５０２とを備え、
ここで、前記第１ネットワークノード及び前記第２ネットワークノードは、それぞれ第１デュアルコネクティビティネットワークにおけるマスターノード及びセカンダリノードであり、前記第３ネットワークノード及び前記第４ネットワークノードは、それぞれ第２デュアルコネクティビティネットワークにおけるマスターノード及びセカンダリノードである。
【００６６】
一実施形態において、前記装置は、
前記第１ネットワークノード側における前記端末の端末コンテキストに基づいて端末に対してリソース割り当てを行い、第１リソース設定情報を得るように構成されるリソース割り当てユニット５０３と、
前記第４ネットワークノードからの第２リソース設定情報を受信し、前記第２リソース設定情報は、前記第４ネットワークノードが前記第２ネットワークノード側における前記端末の端末コンテキストに基づいて端末に対してリソース割り当てを行うことで得られたものであるように構成される第２受信ユニット５０４と、
前記第１リソース設定情報及び第２リソース設定情報を前記第１ネットワークノードに送信するように構成される第２送信ユニット５０５とを更に備える。
【００６７】
上記技術的解決手段において、端末コンテキスト取得装置は、第３ネットワークノード側に適用されてもよい。上述した端末コンテキスト取得方法に関連する説明を参照しながら本発明の実施例の上記端末コンテキスト取得装置を理解できることが当業者であれば理解すべきである。実際の適用において、端末コンテキスト取得装置における各ユニットの機能は、プロセッサ等のような、処理機能を持つモジュールにより実現することができる。
【００６８】
本発明の実施例の上記端末コンテキスト取得装置は、ソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は前記技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ  Ｍｅｍｏｒｙ）、ディスク、又は光ディスクなど、プログラムコードを記憶可能な各種の媒体を含む。従って、本発明の実施例は、如何なる特定のハードウェアとソフトウェアの組み合わせにも限定されない。
【００６９】
なお、本発明の実施例は、コンピュータによる実行可能な命令が記憶されているコンピュータ記憶媒体を更に提供し、前記コンピュータによる実行可能な命令がプロセッサにより実行される時、上記端末コンテキスト取得方法を実現させる。
【００７０】
図６は、本発明の実施例によるネットワークノードの構成を示す模式図である。図６に示すように、ネットワークノード６０は、１つ又は複数の（図面には１つのみが示される）プロセッサ６０２（プロセッサ６０２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これに限定されない）、データを記憶するためのメモリ６０４、及び通信のための伝送装置６０６を備えてもよい。図６に示した構成は模式的なものに過ぎず、上記電子装置の構成を限定するものではないことは、当業者であれば、理解すべきである。例えば、ネットワークノード６０は、図６に示したものより多くユニット又は少ないユニットを備えてもよく、図６に示したものと異なる構成を備えてもよい。
【００７１】
メモリ６０４は、本発明の実施例における情報フィードバック方法に対応するプログラム命令／モジュールのようなアプリケーションのソフトウェアプログラム及びモジュールを記憶するためのものである。プロセッサ１２０２は、メモリ６０４に記憶されているソフトウェアプログラム及びモジュールを実行することで、様々な機能の適用及びデータ処理を実行し、すなわち上記方法を実現させる。メモリ６０４は、高速ランダムメモリを含んでもよく、１つ又は複数の磁気記憶装置、フラッシュメモリ、その他の不揮発性固体記憶装置のような不揮発性メモリを含んでもよい。幾つかの実例において、メモリ６０４は、プロセッサ６０２に対して遠隔に設けられるメモリを更に含んでもよい。これらのリモートメモリは、ネットワークを介してネットワークノード６０に接続される。上記ネットワークは、インターネット、イントラネット、ローカルエリアネットワーク、移動体通信ネットワーク及びこれらの組み合わせを含むが、これらに限定されない。
【００７２】
伝送装置６０６は、ネットワークを介してデータを送受信するように構成される。上記ネットワークの具体的な実例は、ネットワークノード６０の通信業者により提供される無線ネットワークを含んでもよい。一実例において、伝送装置６０６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置６０６は、無線方式でインターネットと通信するための無線周波数（ＲＦ：Ｒａｄｉｏ  Ｆｒｅｑｕｅｎｃｙ）モジュールであってもよい。
【００７３】
本発明の実施例に記載の技術的解決手段は、矛盾しない限り、任意に組み合わせすることができる。
【００７４】
本発明で提供する幾つかの実施例で開示した方法及びインテリジェント装置は、他の方式によって実現できることを理解すべきである。以上に記載した装置の実施例は例示的なものに過ぎず、例えば、前記ユニットの分割は単にロジック機能の分割で、実際に実現する時は他の分割方式によってもよい。例えば、複数のユニット又は組立体を組み合わせてもよく、別のシステムに組み込んでもよい。又は若干の特徴を無視してもよく、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【００７５】
分離部材として説明した前記ユニットは、物理的に別個のものであってもよく、そうでなくてもよい。ユニットとして示された部材は、物理的ユニットであってもよく、そうでなくてもよい。即ち、同一の位置に位置してもよく、複数のネットワークに分布してもよい。実際の需要に応じてそのうちの一部又は全てのユニットにより本実施例の方策の目的を実現することができる。
【００７６】
また、本発明の各実施例における各機能ユニットは一つの第２処理ユニットに集積されてもよく、各ユニットが物理的に別個のものとして存在してもよく、２つ以上のユニットが一つのユニットに集積されてもよい。上記集積したユニット、ハードウェアの形で実現してもよく、ハードウェアとソフトウェアユニットの組み合わせという形で実現してもよい。
【００７７】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。
【図１】
2021511697.tif 000003
【図２】
2021511697.tif 000004
【図３】
2021511697.tif 000005
【図４】
2021511697.tif 000006
【図５】
2021511697.tif 000007
【図６】
2021511697.tif 000008
【国際調査報告】
2021511697.tif 000009
2021511697.tif 000010
2021511697.tif 000011
2021511697.tif 000012